(57)【要約】【課題】歩度調整を効率よく行うこと。【解決手段】照射装置１１０は、所定の時間長を示す基準光信号１１２ａを照射する。電子時計１０１〜１０３は、照射装置１１０によって照射された基準光信号１１２ａを含む入射光を電流に変換する。そして、電子時計１０１〜１０３は、変換した電流に含まれ所定の時間長を示す受光信号に基づいて自装置の歩度のずれを検出する。そして、電子時計１０１〜１０３は、検出した歩度のずれに基づいて自装置の歩度を調整する。【選択図】図１
2017150855.tif 000002
【特許請求の範囲】
【請求項１】
入射光を電流に変換する変換部と、
前記変換部によって変換された前記電流に含まれ所定の時間長を示す受光信号に基づいて自装置の歩度のずれを検出する検出部と、
前記検出部によって検出された前記ずれに基づいて前記歩度を調整する調整部と、
を備えることを特徴とする電子時計。
【請求項２】
クロック信号を発振する発振回路と、
前記発振回路によって発振された前記クロック信号を分周する分周回路と、を備え、
前記検出部は、前記発振回路の基準発振周波数に基づく基準クロック数と、前記所定の時間長の期間における前記クロック信号のクロック数との差を前記歩度のずれとして出力し、
前記調整部は前記検出部から出力された前記歩度のずれに基づいて、前記発振回路の発振周波数または前記分周回路の分周比を調整する、
ことを特徴とする請求項１に記載の電子時計。
【請求項３】
自装置を駆動する電力を供給し、前記変換部によって変換された前記電流によって充電を行う二次電池を備えることを特徴とする請求項１または２に記載の電子時計。
【請求項４】
前記検出部が前記ずれを検出する状態においては前記変換部と前記二次電池との間を切断し、前記検出部が前記ずれを検出しない状態においては前記変換部と前記二次電池との間を接続するスイッチを備えることを特徴とする請求項３に記載の電子時計。
【請求項５】
前記検出部は、前記検出部が前記ずれを検出しない状態において、前記変換部によって変換された前記電流に含まれる所定信号を検出した場合に前記ずれを検出し、
前記調整部は、前記検出部によって前記ずれが検出された場合に前記歩度を調整する、
ことを特徴とする請求項１〜４のいずれか一つに記載の電子時計。
【請求項６】
所定の時間長を示す基準光信号を照射する照射装置と、
前記照射装置によって照射された前記基準光信号を含む入射光を電流に変換し、変換した前記電流に含まれ前記所定の時間長を示す受光信号に基づいて自装置の歩度のずれを検出し、検出した前記ずれに基づいて前記歩度を調整する電子時計と、
を含むことを特徴とする歩度調整システム。
【請求項７】
前記電子時計を複数含み、
前記照射装置は、前記電子時計のそれぞれを含む領域に前記基準光信号を照射し、
前記電子時計のそれぞれは、前記照射装置によって照射された前記基準光信号に基づいて前記歩度の調整を並行して行う、
ことを特徴とする請求項６に記載の歩度調整システム。
【発明の詳細な説明】
【技術分野】
【０００１】
本発明は、電子時計および歩度調整システムに関する。
【背景技術】
【０００２】
従来、振動子に水晶を用いるクォーツ時計などの電子時計が知られている。電子時計において、たとえば、内部部品をケースに収納する前後で歩度が変わるため、内部部品をケースに収納した後に歩度調整が行われる。また、電子時計を送受信用コイルに近接して配置し、送受信用コイルを介した磁界信号を用いて電子時計との間で歩度調整データなどの送受信を行う技術が知られている（たとえば、下記特許文献１参照。）。
【先行技術文献】
【特許文献】
【０００３】
【特許文献１】国際公開第２００１／２２１７５号
【発明の概要】
【発明が解決しようとする課題】
【０００４】
しかしながら、上述した従来技術では、たとえば、電気誘導により通信を行うため、送受信用コイルと電子時計との間の相対位置がずれると通信困難になる。また、たとえば、送受信用コイルのインダクタンスの時定数により応答速度に限界があり、高精度な歩度調整が困難である。また、たとえば、複数の電子時計を同時に歩度調整するためには、複数の電子時計のそれぞれに対して送受信用コイルを設けることになるため、歩度調整のためのコストが大きくなる。
【０００５】
このように、上述した従来技術では、歩度調整を効率よく行うことができないという問題がある。
【０００６】
本発明は、上述した従来技術による問題点を解消するため、歩度調整を効率よく行うことができる電子時計および歩度調整システムを提供することを目的とする。
【課題を解決するための手段】
【０００７】
上述した課題を解決し、目的を達成するため、本発明にかかる電子時計および歩度調整システムは、照射装置が所定の時間長を示す基準光信号を照射し、電子時計が、前記照射装置によって照射された前記基準光信号を含む入射光を電流に変換し、変換した前記電流に含まれ前記所定の時間長を示す受光信号に基づいて自装置の歩度のずれを検出し、検出した前記ずれに基づいて前記歩度を調整する。
【０００８】
これにより、たとえば、光を用いるため、電子時計の変換部が受光できる位置であればよく、照射装置に対する電子時計の位置決め精度が低くても歩度調整を行うことができる。また、たとえば、電子時計に送信する信号の時定数を小さくし、高精度な歩度調整が可能になる。また、たとえば、複数の電子時計を同時に歩度調整する場合にも、複数の電子時計に対してまとめて基準光信号を照射することによって歩度調整が可能になるため、歩度調整のためのコストが小さくなる。
【発明の効果】
【０００９】
本発明の一側面によれば、歩度調整を効率よく行うことができるという効果を奏する。
【図面の簡単な説明】
【００１０】
【図１】図１は、実施の形態にかかる歩度調整システムの一例を示す図である。
【図２】図２は、実施の形態にかかる歩度調整システムによる歩度調整の一例を示す図である。
【図３】図３は、実施の形態にかかる電子時計の一例を示す図である。
【図４】図４は、実施の形態にかかる電子時計の歩度調整モードにおける信号の流れの一例を示す図である。
【図５】図５は、実施の形態にかかる電子時計の運用モードにおける信号の流れの一例を示す図である。
【図６】図６は、実施の形態にかかる電子時計の運用モードにおける信号の流れの他の一例を示す図である。
【図７】図７は、実施の形態にかかる分周回路の一例を示す図である。
【図８】図８は、実施の形態にかかる電子時計の歩度制御回路による処理の一例を示すフローチャートである。
【図９】図９は、実施の形態にかかる電子時計を適用したアナログ時計の一例を示す正面断面図である。
【発明を実施するための形態】
【００１１】
以下に図面を参照して、本発明にかかる電子時計および歩度調整システムの実施の形態を詳細に説明する。
【００１２】
（実施の形態）
（実施の形態にかかる歩度調整システム）
図１は、実施の形態にかかる歩度調整システムの一例を示す図である。図１に示すように、実施の形態にかかる歩度調整システム１００は、たとえば、電子時計１０１〜１０３と、照射装置１１０と、を含む。歩度調整システム１００は、照射装置１１０を用いて電子時計１０１〜１０３の歩度を調整するシステムである。歩度は、たとえば時計の進みまたは遅れの度合い（時計歩度）である。
【００１３】
電子時計１０１〜１０３は、たとえば、水晶振動子などの圧電素子に電圧を加えることによってクロック信号を発振し、発振したクロック信号を分周することにより得たパルス信号に基づいて時間（時刻や時間長）を計測し、計測結果を通知する時計である。
【００１４】
たとえば、電子時計１０１〜１０３は、時刻を知るための腕時計、懐中時計、置き時計、掛け時計などの時計である。また、電子時計１０１〜１０３は、時間を計るためのストップウォッチやタイマなどの時計であってもよい。また、電子時計１０１〜１０３は、指針により時間を表示するアナログ時計、ディスプレイにより時間を表示するデジタル時計、または音声によって時間を通知する音声時計などであってもよい。
【００１５】
電子時計１０１〜１０３は、照射装置１１０からの基準光を受光するＰＤ（Ｐｈｏｔｏ  Ｄｉｏｄｅ：フォトダイオード）などの受光装置を備えている。受光装置の詳細については後述する。
【００１６】
照射装置１１０は、所定の時間長を示す基準光信号を照射する。たとえば、照射装置１１０は、基準信号発生回路１１１と、発光装置１１２と、を備える。基準信号発生回路１１１は、所定の時間長を高精度に示す基準信号を発生させる。そして、基準信号発生回路１１１は、発生させた基準信号を発光装置１１２へ出力する。所定の時間長は、一例としては１［ｓｅｃ］（１秒）である。所定の時間長を示す基準信号は、たとえば所定の時間長の間隔で立ち上がるパルス信号であってもよいし、所定の時間長の間立ち続け、所定の時間長後に立ち下がる信号であってもよい。
【００１７】
たとえば、基準信号発生回路１１１は、高精度な周波数標準に基づき正確な時間を刻む原子時計１２０に接続されており、原子時計１２０から出力される時間情報に基づき基準信号を発生させる。ただし、基準信号発生回路１１１は、このような構成に限らず、高精度な時計を用いて所定の時間長を高精度に示す基準信号を発生させる構成であればよい。
【００１８】
発光装置１１２は、基準信号発生回路１１１から出力された基準信号に基づいて、所定の時間長（一例としては１［ｓｅｃ］）を示す基準光信号１１２ａを出射する。基準光信号１１２ａは、たとえば、所定の時間長ごとに発光するパルス光であってもよいし、所定の時間長の間、発光し続ける光であってもよい。以降の説明においては、所定の時間長ごとに発光するパルス光として説明を行う。
【００１９】
発光装置１１２には、たとえば、応答が早いＬＥＤ（Ｌｉｇｈｔ  Ｅｍｉｔｔｉｎｇ  Ｄｉｏｄｅ：発光ダイオード）などの光源を用いることができる。これにより、基準信号発生回路１１１から出力された基準信号に基づいて、所定の時間長を精度よく示す基準光信号１１２ａを出射することができる。ただし、発光装置１１２には、ＬＥＤに限らず、白熱灯などの各種の光源を用いることができる。
【００２０】
また、ＰＤなどの受光装置の応答は、波長が短い光の方が早い場合がある。このため、発光装置１１２には、青色領域などの光を発振する光源を用いて、ＰＤなどの受光装置には、青色領域の受光感度が高いものを用いてもよい。これにより、基準光信号１１２ａの受信側における応答を早くし、歩度調整を精度よく行うことができる。
【００２１】
また、基準光信号１１２ａは、電子時計１０１〜１０３を含む広範囲の領域に照射される拡散光などであってもよい。また、発光装置１１２は、電子時計１０１〜１０３を含む広範囲の領域に照射するように、同一の所定の時間長を示す複数の基準光信号１１２ａを出射する複数の光源であってもよい。これにより、発光装置１１２から出射された基準光信号１１２ａを、歩度調整の対象の電子時計１０１〜１０３（複数の電子時計）に受光させることができる。なお、電子時計１０１〜１０３の数が３個であるとして説明を行っているが、上述の拡散光の照射範囲に置くことが可能であれば、電子時計の数は３個以上であってもよい。
【００２２】
電子時計１０１〜１０３のそれぞれは、照射装置１１０から出射される基準光信号１１２ａを用いて自装置の歩度を調整する。たとえば、電子時計１０１は、照射装置１１０からの基準光信号１１２ａの受光結果に基づいて所定の時間長を検出し、検出した所定の時間長に基づいて自装置の歩度を調整する。電子時計１０２、１０３も電子時計１０１と同様に、照射装置１１０からの基準光信号１１２ａの受光結果に基づいて所定の時間長を検出し、検出した所定の時間長に基づいて自装置の歩度を調整する。
【００２３】
また、上述したように、基準光信号１１２ａは、電子時計１０１〜１０３を含む領域に照射される光信号としてもよい。これにより、照射装置１１０から出射された基準光信号１１２ａを、歩度調整の対象の電子時計１０１〜１０３に同時に受光させることにより、電子時計１０１〜１０３の歩度を並行して調整することができる。
【００２４】
このため、たとえば、一定の期間内により多くの電子時計の歩度調整が可能になる。あるいは、一定数の電子時計の歩度調整に要する時間を短縮することができる。あるいは、一回の歩度調整のための所定の時間長を長くすることが可能になり、歩度調整の精度を向上させることができる。あるいは、これらの複合的な効果が得られる。
【００２５】
また、電子時計１０１〜１０３は、基準光信号１１２ａを受光可能な領域に位置していれば歩度調整を行うことができる。このため、歩度調整システム１００においては、たとえば送受信用コイルを介した磁界信号を用いて歩度調整を行う技術と比べて、電子時計１０１〜１０３の歩度調整時の位置決め（配置）の精度が低くても歩度調整が可能になる。この位置決めには、電子時計１０１〜１０３と、電子時計１０１〜１０３と外部装置（照射装置１１０）と、の間の距離や角度などの調整も含まれる。また、照射装置１１０は、電子時計１０１〜１０３に対して基準光信号１１２ａをまとめて照射するため、照射装置１１０において歩度調整の対象を切り替える制御を行わなくてもよい。このため、基準光信号１１２ａを用いることで、電子時計１０１〜１０３の歩度調整のための位置決めや制御等を簡易化することができる。
【００２６】
また、基準信号に対する応答が早い基準光信号１１２ａを用いることで、たとえば送受信用コイルを介した磁界信号を用いて歩度調整を行う技術と比べて、電子時計１０１〜１０３が所定の時間長を精度よく検出することができる。このため、電子時計１０１〜１０３の歩度調整の精度を向上させることができる。あるいは、歩度調整の精度を維持しつつ、一回の歩度調整のための所定の時間長を短くすることが可能になる。このため、たとえば、一定の期間内により多くの電子時計の歩度調整が可能になる。あるいは、一定数の電子時計の歩度調整に要する時間を短縮することができる。あるいは、これらの複合的な効果が得られる。
【００２７】
また、複数の電子時計（たとえば電子時計１０１〜１０３）の歩度を並行して調整する場合について説明したが、歩度調整の対象の時計は１個であってもよい。この場合は、発光装置１１２が出射する基準光信号１１２ａは、拡散光に限らず、平行光や、集光される光などであってもよい。
【００２８】
（実施の形態にかかる歩度調整システムによる歩度調整）
図２は、実施の形態にかかる歩度調整システムによる歩度調整の一例を示す図である。図２において、横方向は時間を示す。電子時計１０１の歩度調整について説明するが、電子時計１０２、１０３の歩度調整についても同様である。図２に示す基準光信号１１２ａは、前述のとおり照射装置１１０が電子時計１０１へ出射する光信号であり、高精度な基準信号に基づいて所定の時間長２０１ごとに発光するパルス光である。所定の時間長２０１は、図２に示す例では１［ｓｅｃ］である。
【００２９】
受光信号２１０は、電子時計１０１が基準光信号１１２ａをＰＤなどの受光装置によって受光して得られる電流である。受光信号２１０は、基準光信号１１２ａの強度に応じた電流であるため、所定の時間長２０１の周期ごとのパルス信号となる。
【００３０】
電子時計１０１は、受光信号２１０に基づいてカウントイネーブル信号２２０を生成する。カウントイネーブル信号２２０は、たとえば、受光信号２１０におけるあるパルス２１１の立ち上がりから、パルス２１１の次のパルス２１２の立ち上がりまでの期間（すなわち所定の時間長２０１の期間）を示す信号である。
【００３１】
発振クロック２３０は、電子時計１０１の内部の振動子によって発振されるクロックである。電子時計１０１は、発振クロック２３０を分周して得たクロックを用いて時間を計る。また、電子時計１０１は、歩度調整の際に、カウントイネーブル信号２２０が示す所定の時間長２０１の期間において、発振クロック２３０におけるクロック数をカウントする。そして、電子時計１０１は、所定の時間長２０１の期間においてカウントしたクロック数と所定の基準クロック数とを比較することにより、電子時計１０１における歩度のずれを検出し、検出結果に基づいて電子時計１０１の歩度調整を行う。
【００３２】
たとえば、発振クロック２３０の設計上の周波数（基準発振周波数）が２15＝３２７６８［Ｈｚ］であるとする。この場合に、上述した所定の基準クロック数は、たとえば２15とすることができる。たとえば、電子時計１０１は、所定の時間長２０１の期間においてカウントしたクロック数が基準クロック数である２15と等しい場合は、発振クロック２３０の実際の周波数が設計値と同じであり歩度がずれていないと判断し、歩度調整を行わない。
【００３３】
また、電子時計１０１は、所定の時間長２０１の期間においてカウントしたクロック数が基準クロック数である２15より多い場合は、発振クロック２３０の実際の周波数が設計値より高いと判断する。この場合は、電子時計１０１は、発振クロック２３０の周波数を低くする制御または発振クロック２３０の分周比を大きくする制御を行うことにより歩度調整を行う。
【００３４】
また、電子時計１０１は、所定の時間長２０１の期間においてカウントしたクロック数が基準クロック数である２15より少ない場合は、発振クロック２３０の実際の周波数が設計値より低いと判断する。この場合は、電子時計１０１は、発振クロック２３０の周波数を高くする制御または発振クロック２３０の分周比を小さくする制御を行うことにより歩度調整を行う。
【００３５】
このような歩度調整を行うことにより、電子時計１０１の歩度の誤差を３０．５２［ｐｐｍ］未満にすることができる。また、たとえば所定の時間長２０１を１０［ｓｅｃ］にした場合は、電子時計１０１の歩度の誤差を３．０５［ｐｐｍ］未満にし、たとえば月差１５［ｓｅｃ］未満の基準を満たすことができる。なお、所定の時間長２０１を１０［ｓｅｃ］とする場合、基準光信号１１２ａを１０［ｓｅｃ］として１回分の時間としてもよいし、基準光信号１１２ａを１［ｓｅｃ］として、電子時計１０１が基準光信号１１２ａを１０回カウントする時間としてもよい。
【００３６】
（実施の形態にかかる電子時計）
図３は、実施の形態にかかる電子時計の一例を示す図である。実施の形態にかかる電子時計１０１〜１０３のそれぞれは、たとえば図３に示す電子時計３００により実現することができる。電子時計３００は、制御回路３１０と、駆動回路３２１と、時間通知部３２２と、受光装置３３０と、スイッチ３４０と、二次電池３５０と、を備える。また、電子時計３００は、さらに外部操作受付部３６０を備えていてもよい。
【００３７】
制御回路３１０は、駆動回路３２１を制御することにより、時間通知部３２２による時間通知を制御する。また、制御回路３１０は電子時計３００の歩度調整を行う。制御回路３１０による駆動回路３２１の制御や歩度調整については後述する。駆動回路３２１は、制御回路３１０からの制御によって時間通知部３２２を駆動することにより、時間通知部３２２に時間を通知させる。時間通知部３２２は、駆動回路３２１によって駆動されることにより、ユーザ等に時間を通知する。
【００３８】
たとえば、電子時計３００が指針によって時間を表示するアナログ時計である場合は、時間通知部３２２は、指針等により実現される。また、電子時計３００が時間をデジタル表示するデジタル時計である場合は、時間通知部３２２は、デジタル表示を行うディスプレイ等により実現される。また、電子時計３００は、時間を音声により通知する時計などであってもよい。この場合は、時間通知部３２２は、音声を出力するスピーカ等により実現される。
【００３９】
受光装置３３０は、電子時計３００の外部からの光を受光して電流に変換する装置である。たとえば、受光装置３３０は、たとえばＰＤにより実現される太陽電池である。また、受光装置３３０は、複数のＰＤを並べて実現されてもよい。受光装置３３０は、受光によって得られた電流を制御回路３１０およびスイッチ３４０へ出力する。入射光を電流に変換する変換部は、たとえば受光装置３３０により実現することができる。
【００４０】
スイッチ３４０は、制御回路３１０からの制御により、受光装置３３０と二次電池３５０との間を接続または切断するオン／オフスイッチである。たとえば、スイッチ３４０は、受光装置３３０および制御回路３１０と、二次電池３５０と、の間の電気的な接触の有無を切り替える機械式スイッチや電子式スイッチである。たとえばスイッチ３４０がオンのときは受光装置３３０から出力された電流が制御回路３１０および二次電池３５０へ入力され、スイッチ３４０がオフのときは受光装置３３０から出力された電流が制御回路３１０へ入力され二次電池３５０には入力されない。
【００４１】
二次電池３５０は、電子時計３００を駆動する電力を供給する電池である。たとえば、二次電池３５０は、制御回路３１０や駆動回路３２１などに対して電力を供給する。また、二次電池３５０は、スイッチ３４０によって受光装置３３０と接続されている場合は、受光装置３３０から出力される電流によって自装置の充電を行う。
【００４２】
すなわち、電子時計３００は、受光装置３３０および二次電池３５０を用いて、太陽光や照明光などの光エネルギーを動力源とするソーラー時計（ソーラー発電時計、光発電時計または太陽光発電時計などとも呼ばれる。）である。
【００４３】
外部操作受付部３６０は、制御回路３１０に対する外部からの操作を受け付ける。外部からの操作は、たとえば電子時計３００の調整者やユーザによる操作である。外部操作受付部３６０には、たとえば、竜頭などのつまみ、ボタン、電子スイッチなど各種の部品を用いることができる。外部操作受付部３６０は、受け付けた操作に応じた電気信号を制御回路３１０へ出力する。
【００４４】
制御回路３１０は、たとえば、発振回路３１１と、分周回路３１２と、歩度制御回路３１３と、歩度調整回路３１４と、を備える。制御回路３１０は、たとえばＩＣ（Ｉｎｔｅｇｒａｔｅｄ  Ｃｉｒｃｕｉｔ：集積回路）などの各種の電子回路によって実現することができる。
【００４５】
発振回路３１１は、図２に示した発振クロック２３０を基準クロックとして発振する回路である。たとえば、発振回路３１１は、たとえば水晶などの圧電体などによって実現することができる。この場合に、発振回路３１１は、二次電池３５０から供給される電圧を加えることによって固有の周波数で発振する。そして、発振回路３１１は、発振により得られた発振クロック２３０を分周回路３１２へ出力する。また、発振回路３１１が発振する発振クロック２３０の周波数は、たとえば歩度調整回路３１４からの歩度調整信号によって制御可能であってもよい。歩度調整信号の詳細については後述する。
【００４６】
分周回路３１２は、発振回路３１１から出力された発振クロック２３０を所定の分周比によって分周する。一例としては、発振クロック２３０の周波数が２15＝３２７６８［Ｈｚ］である場合に、分周回路３１２は、発振クロック２３０を分周比＝２15で分周する。これにより、３２７６８［Ｈｚ］／２15＝１［ｓｅｃ］周期のパルス信号を生成することができる。分周回路３１２は、分周により得られたパルス信号を駆動回路３２１へ出力する。
【００４７】
また、分周回路３１２は、歩度調整時に、歩度制御回路３１３から出力されたカウントイネーブル信号２２０が示す所定の時間長２０１の期間における、発振回路３１１から出力された発振クロック２３０のクロック数（振動回数）をカウントするカウンタ回路により実現することができる（たとえば図７参照）。そして、分周回路３１２は、カウントした所定の時間長２０１の期間におけるクロック数を歩度制御回路３１３へ通知する。
【００４８】
歩度制御回路３１３は、電子時計３００の歩度調整等を制御する。たとえば、歩度制御回路３１３は、受光装置３３０および分周回路３１２を用いて電子時計３００の歩度のずれを検出する。そして、歩度制御回路３１３は、検出したずれに基づく設定値を歩度調整回路３１４に設定することにより、歩度調整回路３１４による歩度調整を制御する。受光装置３３０（変換部）によって変換された電流に含まれ所定の時間長を示す信号に基づいて自装置の歩度のずれを検出する検出部は、たとえば歩度制御回路３１３により実現することができる。
【００４９】
歩度調整回路３１４は、歩度制御回路３１３によって設定された設定値に従って、歩度調整信号を生成し、発振回路３１１の容量値の調整（以下、ＣＦ調という）および分周回路３１２の分周比の調整（以下、ＤＦ調という）の少なくともいずれかを行う。以下、ＣＦ調およびＤＦ調の少なくともいずれかを行うことを単にＦ調と呼ぶ。ＣＦ調は、発振回路３１１が発振する発振クロック２３０の周波数を調整する制御である。歩度制御回路３１３（検出部）によって検出された歩度のずれに基づいて自装置の歩度を調整する調整部は、たとえば歩度調整回路３１４により実現することができる。
【００５０】
たとえば、発振回路３１１における共振回路に容量値を変更できる可変コンデンサが用いられている場合は、ＣＦ調は、この可変コンデンサの容量値を制御することによって行うことができる。ＤＦ調は、分周回路３１２が発振クロック２３０を分周する際の分周比を調整する制御である。たとえば、ＤＦ調は、分周回路３１２を構成するカウンタ回路のカウントをリセットするタイミングを制御することによって行うことができる。すなわち、ＤＦ調は、カウンタ回路に対して歩度調整回路３１４がクリア信号を出力するタイミングを制御することによって行うことができる。
【００５１】
駆動回路３２１は、分周回路３１２から出力されたパルス信号に基づいて時間通知部３２２を駆動することにより、時間通知部３２２による時間通知を制御する。たとえば、時間通知部３２２が指針である場合は、駆動回路３２１は、指針を駆動するモータである。たとえば、駆動回路３２１は、１［ｓｅｃ］周期のパルス信号ごとに指針の秒針を一定量回転させることにより指針を駆動する。また、時間通知部３２２がディスプレイ等である場合は、駆動回路３２１は、ディスプレイ等によるデジタル表示を制御する回路である。また、時間通知部３２２がスピーカ等である場合は、駆動回路３２１は、スピーカ等による音声の出力を制御する回路である。
【００５２】
（実施の形態にかかる電子時計の歩度調整モードにおける信号の流れ）
図４は、実施の形態にかかる電子時計の歩度調整モードにおける信号の流れの一例を示す図である。図４において、図３に示した部分と同様の部分については同一の符号を付して説明を省略する。電子時計３００の歩度を調整する歩度調整モードの電子時計３００においては、たとえば図４に示すように信号が流れる。
【００５３】
受光装置３３０には、照射装置１１０からの基準光信号１１２ａ（図２参照）が入射する。受光装置３３０は、入射した基準光信号１１２ａを光電変換することにより受光信号２１０（図２参照）を生成する。そして、受光装置３３０は、生成した受光信号２１０を歩度制御回路３１３へ出力する。
【００５４】
歩度制御回路３１３は、受光装置３３０から出力された受光信号２１０のパルスに基づいてカウントイネーブル信号２２０（図２参照）を生成する。たとえば、歩度制御回路３１３は、受光装置３３０から出力された電流の大きさが閾値を超えたか否かを検出することにより、受光信号２１０のパルスを検出する。そして、歩度制御回路３１３は、生成したカウントイネーブル信号２２０を分周回路３１２へ出力する。
【００５５】
分周回路３１２は、歩度制御回路３１３から出力されたカウントイネーブル信号２２０が示す所定の時間長２０１の期間における、発振回路３１１から出力された発振クロック２３０のクロック数をカウントする。そして、分周回路３１２は、カウントした所定の時間長２０１の期間におけるクロック数を歩度制御回路３１３へ通知する。
【００５６】
歩度制御回路３１３は、分周回路３１２から通知されたクロック数と所定の基準クロック数（たとえば２15）との差を計算する。たとえば、歩度制御回路３１３は、分周回路３１２から通知されたクロック数と所定の基準クロック数とを比較する比較器を有しており、比較器を用いてクロック数と所定の基準クロック数との差（クロック数−所定の基準クロック数）を計算する。そして、歩度制御回路３１３は、計算した差に応じた設定値を歩度調整回路３１４へ通知する。
【００５７】
まず、歩度調整回路３１４がＣＦ調を行う場合について説明する。歩度制御回路３１３は、計算した差が０である場合は、発振回路３１１の現在の発振周波数を維持するＣＦ調の設定値を歩度調整回路３１４へ通知する。また、歩度制御回路３１３は、計算した差が０より大きい場合（クロック数−所定の基準クロック数＞０）は、所定単位量、または計算した差の絶対値に応じた量だけ、発振回路３１１の発振周波数を現在より低くするＣＦ調の設定値を歩度調整回路３１４へ通知する。また、歩度制御回路３１３は、計算した差が０より小さい場合（クロック数−所定の基準クロック数＜０）は、所定単位量、または計算した差の絶対値に応じた量だけ、発振回路３１１の発振周波数を現在より高くするＣＦ調の設定値を歩度調整回路３１４へ通知する。
【００５８】
つぎに、歩度調整回路３１４がＤＦ調を行う場合について説明する。歩度制御回路３１３は、計算した差が０である場合は、分周回路３１２における現在の分周比を維持するＤＦ調の設定値を歩度調整回路３１４へ通知する。また、歩度制御回路３１３は、計算した差が０より大きい場合（クロック数−所定の基準クロック数＞０）は、所定単位量、または計算した差の絶対値に応じた量だけ、分周回路３１２の分周比を現在より大きくするＤＦ調の設定値を歩度調整回路３１４へ通知する。また、歩度制御回路３１３は、計算した差が０より小さい場合（クロック数−所定の基準クロック数＜０）は、所定単位量、または計算した差の絶対値に応じた量だけ、分周回路３１２の分周比を現在より小さくするＤＦ調の設定値を歩度調整回路３１４へ通知する。
【００５９】
歩度調整回路３１４は、歩度制御回路３１３から通知された設定値を記憶する。これにより、現在の電子時計３００における歩度の誤差に基づく設定値を歩度調整回路３１４に記憶させることができる。また、現在の電子時計３００における歩度の誤差を検出する構成について説明したが、電子時計３００においてＦ調を行わない状態における歩度の誤差を検出する構成としてもよい。この場合は、歩度制御回路３１３は、計算した差の絶対値に応じた設定値を歩度調整回路３１４へ通知する。
【００６０】
また、歩度調整モードにおいて、歩度制御回路３１３は、受光装置３３０と二次電池３５０との間を切断するようにスイッチ３４０をオフにしてもよい。これにより、受光装置３３０および歩度制御回路３１３から二次電池３５０を切り離し、受光装置３３０と歩度制御回路３１３との間の信号線をハイインピーダンスの状態にすることができる。このため、受光装置３３０からの受光信号２１０を歩度制御回路３１３が精度よく検出し、精度よく所定の時間長２０１の期間を示すカウントイネーブル信号２２０を生成することができる。このため、歩度調整をより精度よく行うことができる。
【００６１】
また、歩度調整モードにおいて、分周回路３１２は、分周したパルス信号を駆動回路３２１へ出力しなくてもよい。また、歩度調整モードにおいて、二次電池３５０は、駆動回路３２１には電源を供給しなくてもよい。これらの切り替えは、たとえば歩度制御回路３１３からの制御によって行うことができる。これにより、歩度調整モードにおける制御回路３１０の消費電力を抑制することができる。
【００６２】
歩度制御回路３１３が、分周回路３１２から通知されたクロック数と所定の基準クロック数との差を計算し、計算した差に応じた設定値を導出する構成について説明したが、このような構成に限らない。たとえば、歩度制御回路３１３は、分周回路３１２から通知されたクロック数と、そのクロック数と所定の基準クロック数との差に応じた設定値と、を対応付ける対応情報を記憶していてもよい。この場合は、歩度制御回路３１３は、分周回路３１２から通知されたクロック数と、この対応情報と、から設定値を導出してもよい。対応情報は、たとえば対応テーブルや計算式などによって実現することができる。
【００６３】
歩度調整が終了すると、電子時計３００は、たとえば、時間通知部３２２による時間通知を行う運用モード（たとえば図５参照）へ移行する。
【００６４】
（実施の形態にかかる電子時計の運用モードにおける信号の流れ）
図５は、実施の形態にかかる電子時計の運用モードにおける信号の流れの一例を示す図である。図５において、図３に示した部分と同様の部分については同一の符号を付して説明を省略する。電子時計３００の歩度調整を行わずに時間通知部３２２による時間通知を行う運用モードの電子時計３００においては、たとえば図５に示すように信号が流れる。
【００６５】
受光装置３３０には、照射装置１１０からの基準光信号１１２ａは入射せず、太陽光や照明光などの環境光が入射する。また、二次電池３５０は、制御回路３１０および駆動回路３２１に電源を供給する。また、分周回路３１２は、分周したパルス信号を駆動回路３２１へ出力する。これにより、駆動回路３２１によって時間通知部３２２が駆動され、時間通知部３２２によって時間表示が行われる。
【００６６】
また、歩度制御回路３１３は、たとえば、外部操作受付部３６０によって受け付けられた外部からの操作に応じて、図４に示した歩度調整モードへ移行する制御を行う。これにより、外部操作受付部３６０を介した外部からの操作によって電子時計３００を歩度調整モードへ移行させ、その状態で照射装置１１０によって基準光信号１１２ａを電子時計３００に照射することによって電子時計３００の歩度調整を行うことができる。
【００６７】
また、歩度制御回路３１３は、受光装置３３０と二次電池３５０とを接続するようにスイッチ３４０をオンに制御する。これにより、受光装置３３０において環境光によって得られた電流を二次電池３５０へ出力し、二次電池３５０を充電しながら時間通知部３２２による時間通知を行うことができる。
【００６８】
また、歩度調整回路３１４は、歩度調整モードにおいて歩度制御回路３１３から通知されて記憶した設定値に基づいて、Ｆ調を行う。これにより、電子時計３００における歩度の誤差の検出結果に応じた歩度調整を行うことができる。
【００６９】
図６は、実施の形態にかかる電子時計の運用モードにおける信号の流れの他の一例を示す図である。図６において、図５に示した部分と同様の部分については同一の符号を付して説明を省略する。運用モードの電子時計３００においては、たとえば図６に示すように信号が流れるようにしてもよい。
【００７０】
すなわち、歩度制御回路３１３は、受光装置３３０から出力される電流に含まれる信号に応じて、図４に示した歩度調整モードへ移行する制御を行ってもよい。これにより、たとえば図１に示した照射装置１１０によって受光装置３３０に対して所定の光信号を入射させることによって電子時計３００を歩度調整モードへ移行させることができる。そして、その状態で照射装置１１０によって基準光信号１１２ａを電子時計３００に照射することによって電子時計３００の歩度調整を行うことができる。
【００７１】
この場合は、外部操作受付部３６０を省いた構成としてもよい。これにより、部品点数を減らすことができる。または、歩度調整モードへの移行以外の指示を行うために外部操作受付部３６０を設ける構成において、歩度調整モードへの移行を指示する外部操作受付部３６０への操作がなくなることにより、外部操作受付部３６０の操作の簡易化や外部操作受付部３６０の誤操作の抑制を図ることができる。
【００７２】
たとえば、図１に示した照射装置１１０は、電子時計１０１〜１０３が配置された状態で、歩度調整モードへの移行を指示する所定の光信号（基準光信号１１２ａとは異なる）を、発光装置１１２から電子時計１０１〜１０３へ照射する。これにより、電子時計１０１〜１０３を歩度調整モードへ移行させることができる。
【００７３】
つぎに、照射装置１１０は、所定の時間長を示す基準光信号１１２ａを、発光装置１１２から電子時計１０１〜１０３へ照射する。これにより、電子時計１０１〜１０３に対してそれぞれ歩度調整を実行させることができる。このため、照射装置１１０による電子時計１０１〜１０３への段階的な光信号の照射によって電子時計１０１〜１０３の歩度調整を行うことができる。
【００７４】
また、歩度調整モードへの移行を指示する所定の光信号は、通常の環境において発生する可能性が低いパターンの光信号とすることが好ましい。これにより、たとえばユーザが電子時計３００を使用している際に、ユーザの意図に反して電子時計３００が歩度調整モードへ移行する誤動作を回避することができる。
【００７５】
（実施の形態にかかる分周回路）
図７は、実施の形態にかかる分周回路の一例を示す図である。実施の形態にかかる分周回路３１２は、たとえば図７に示すカウンタ回路７００により実現することができる。カウンタ回路７００は、縦続接続された１２個のＤ型のフリップフロップ７０１〜７１２により構成されるバイナリカウンタである。
【００７６】
図７に示す例では、１２個のフリップフロップを用いた分周比＝２12の分周回路として動作するカウンタ回路７００について説明するが、たとえば分周比＝２15の分周回路３１２を実現するには１５個のフリップフロップを用いた構成とすればよい。すなわち、分周比＝２nの分周回路３１２を実現するにはｎ個のフリップフロップを用いた構成とすればよい。
【００７７】
フリップフロップ７０１のクロック入力（ＣＫ）には、発振回路３１１からの発振クロック２３０が入力される。フリップフロップ７０２〜７１２の各クロック入力（ＣＫ）には、それぞれフリップフロップ７０１〜７１１の出力（反転Ｑ）が接続される。
【００７８】
フリップフロップ７０１〜７１２のリセット入力（Ｒ）には、歩度調整回路３１４からそれぞれのフリップフロップ７０１〜７１２にクリア信号（ＣＬＲ１〜ＣＬＲ１２）が入力される。歩度調整回路３１４は、フリップフロップ７０１〜７１２のそれぞれのリセット入力（Ｒ）に対して分周比に応じたクリア信号（ＣＬＲ１〜ＣＬＲ１２）を入力するタイミングを制御することによって、分周回路３１２の分周比を調整するＤＦ調を行うことができる。
【００７９】
また、フリップフロップ７０１〜７１２のそれぞれにおいて、入力（Ｄ）は出力（反転Ｑ）に接続されている。そして、フリップフロップ７０１〜７１２のそれぞれの出力（反転Ｑ）が、カウンタ回路７００の出力Ｑ１〜Ｑ１２となる。カウンタ回路７００の各フリップフロップのうちの低い周波数に対応する後段のフリップフロップの出力を取り出すことで、カウンタ回路７００を分周回路３１２として用いることができる。すなわち、カウンタ回路７００は、各フリップフロップの出力のうちの低い周波数に対応する出力を取り出し、取り出した出力を分周後のパルス信号として駆動回路３２１へ出力する。
【００８０】
たとえば、フリップフロップ７１２の出力Ｑ１２を取り出すことで、発振回路３１１から出力された発振クロック２３０を分周比＝２12で分周したパルス信号を出力することができる。また、たとえばカウンタ回路７００を１５個のフリップフロップを用いた構成とする場合は、最後段のフリップフロップの出力Ｑ１５を取り出すことで、発振回路３１１から出力された発振クロック２３０を分周比＝２15で分周したパルス信号を出力することができる。
【００８１】
また、カウンタ回路７００のフリップフロップ７０１〜７１２の出力Ｑ１〜Ｑ１２を取り出すことで、カウンタ回路７００を、入力された発振クロック２３０のクロック数をカウントするカウンタ回路として用いることができる。たとえば、カウンタ回路７００は、歩度制御回路３１３からのカウントイネーブル信号２２０がオンになると、フリップフロップ７０１〜７１２のリセット入力（Ｒ）にクリア信号（ＣＬＲ１〜ＣＬＲ１２）の状態からクリア解除信号を入力し、ゼロからカウントが開始される。そして、カウンタ回路７００は、その後にカウントイネーブル信号２２０がオフになると、そのときのフリップフロップ７０１〜７１２の出力Ｑ１〜Ｑ１２を、クロック数を示す情報として歩度制御回路３１３へ出力する。
【００８２】
（実施の形態にかかる電子時計の歩度制御回路による処理）
図８は、実施の形態にかかる電子時計の歩度制御回路による処理の一例を示すフローチャートである。実施の形態にかかる電子時計３００の歩度制御回路３１３は、たとえば図８に示す各ステップを実行する。
【００８３】
まず、歩度制御回路３１３は、電子時計３００を運用モードへ移行させる制御を行う（ステップＳ８０１）。ステップＳ８０１において、歩度制御回路３１３は、たとえば、歩度調整回路３１４によるＦ調を開始させ、スイッチ３４０をオンにする。また、歩度制御回路３１３は、分周回路３１２によるパルス信号の出力と、駆動回路３２１による時間通知部３２２の駆動と、を開始させる制御を行ってもよい。
【００８４】
これにより、歩度調整回路３１４によるＦ調、時間通知部３２２による時間通知、二次電池３５０の充電などが行われる運用モード（たとえば図５、図６参照）へ電子時計３００を移行させることができる。運用モードにおいて、歩度調整回路３１４は、歩度制御回路３１３から通知されて記憶した設定値に基づくＦ調を行う。また、歩度調整回路３１４は、歩度制御回路３１３から通知された設定値を記憶していない状態においては、所定の初期値に基づくＦ調を行うようにしてもよい。
【００８５】
つぎに、歩度制御回路３１３は、外部から歩度調整を指示する歩度調整指示があったか否かを判断する（ステップＳ８０２）。たとえば、図５に示した例では、歩度制御回路３１３は、外部操作受付部３６０によって所定の指示が受け付けられた場合に歩度調整指示があったと判断する。また、図６に示した例では、歩度制御回路３１３は、受光装置３３０から出力される電流に所定の信号が含まれていた場合に歩度調整指示があったと判断する。歩度調整指示がなかったと判断した場合（ステップＳ８０２：Ｎｏ）は、歩度制御回路３１３は、ステップＳ８０２へ戻る。この場合は運用モードが維持される。
【００８６】
ステップＳ８０２において、歩度調整指示があったと判断した場合（ステップＳ８０２：Ｙｅｓ）は、歩度制御回路３１３は、電子時計３００を歩度調整モードへ移行させる制御を行う（ステップＳ８０３）。ステップＳ８０３において、歩度制御回路３１３は、たとえば、歩度調整回路３１４によるＦ調を停止させ、スイッチ３４０をオフにする。また、歩度制御回路３１３は、分周回路３１２によるパルス信号の出力と、駆動回路３２１による時間通知部３２２の駆動と、を停止させる制御を行ってもよい。
【００８７】
これにより、歩度調整回路３１４によるＦ調、時間通知部３２２による時間通知、二次電池３５０の充電などは行われない歩度調整モード（たとえば図４参照）へ電子時計３００を移行させることができる。歩度調整モードにおいては、歩度調整回路３１４によるＦ調が行われないため、発振回路３１１の発振クロック２３０の周波数はＣＦ調による調整前の周波数（たとえば２15［Ｈｚ］）になり、分周回路３１２の分周比もＤＦ調による調整前の分周比（たとえば２15）になる。
【００８８】
つぎに、歩度制御回路３１３は、スタートパルスをトリガとして、分周回路３１２へのカウントイネーブル信号２２０をオンにすることにより、分周回路３１２による発振クロック２３０のカウントを開始させる（ステップＳ８０４）。スタートパルスは、たとえば、受光装置３３０から出力される受光信号２１０の各パルスのうちの、ステップＳ８０３によって歩度調整モードへ移行してから最初に出力されたパルス（たとえば図２に示したパルス２１１）である。
【００８９】
つぎに、歩度制御回路３１３は、ストップパルスをトリガとして、分周回路３１２へのカウントイネーブル信号２２０をオフにすることにより、分周回路３１２による発振クロック２３０のカウントを終了させる（ステップＳ８０５）。照射装置１１０からのストップパルスは、たとえば、受光装置３３０から出力される受光信号２１０の各パルスのうちの、ステップＳ８０４において検出したスタートパルスの次に出力されたパルス（たとえば図２に示したパルス２１２）である。
【００９０】
つぎに、歩度制御回路３１３は、ステップＳ８０４からステップＳ８０５において分周回路３１２によってカウントされた発振クロック２３０の数と所定の基準クロック数（たとえば３２７６８）との差を計算する（ステップＳ８０６）。ステップＳ８０４からステップＳ８０５において分周回路３１２によってカウントされた発振クロック２３０の数は、たとえば分周回路３１２における各フリップフロップ（たとえば図７参照）の出力を読み出すことにより得ることができる。
【００９１】
つぎに、歩度制御回路３１３は、ステップＳ８０６によって計算した差に応じた設定値を歩度調整回路３１４に記憶させ（ステップＳ８０７）、ステップＳ８０１へ戻る。これにより、電子時計３００が運用モードへ移行し、ステップＳ８０６によって歩度調整回路３１４に記憶させた設定値を用いた歩度調整回路３１４によるＦ調が開始される。
【００９２】
なお、歩度調整時においては歩度調整回路３１４によるＦ調を停止する構成について説明したが、歩度調整時においても歩度調整回路３１４によるＦ調を行う構成としてもよい。この場合は、歩度制御回路３１３は、Ｆ調が行われた状態において分周回路３１２によってカウントされたクロック数が所定の基準クロック数に近づくように、現在のＦ調の設定値を増加または減少させる。
【００９３】
（実施の形態にかかる電子時計を適用したアナログ時計）
図９は、実施の形態にかかる電子時計を適用したアナログ時計の一例を示す正面断面図である。図３に示した電子時計３００は、たとえば図９に示すアナログ時計９００に適用することができる。アナログ時計９００は、アナログのソーラー腕時計の本体である。
【００９４】
アナログ時計９００は、ケース９１１と、風防９１２と、裏蓋９１３と、見返しリング９１４と、秒針９２１と、分針９２２と、時針９２３と、文字盤９２４と、基板９３０と、輪列９４１と、駆動回路９４２と、制御回路９５０と、太陽電池９６１と、導線９６２と、スイッチ９６３と、二次電池９７０と、竜頭９８０と、を備える。
【００９５】
ケース９１１は、アナログ時計９００の側面を構成する。風防９１２は、ケース９１１の表側を覆う風防ガラスである。裏蓋９１３は、ケース９１１の裏側を覆う蓋である。見返しリング９１４は、ケース９１１の内周に沿って設けられたリングである。
【００９６】
秒針９２１、分針９２２および時針９２３は、文字盤９２４に対する相対的な位置によって時間を表示する指針である。図３に示した時間通知部３２２は、たとえば秒針９２１、分針９２２および時針９２３により実現することができる。文字盤９２４は、風防９１２を介して外部から入射した光を透過させて太陽電池９６１へ入射させる。
【００９７】
基板９３０は、駆動回路９４２と、制御回路９５０と、スイッチ９６３と、二次電池９７０と、を保持する。また、基板９３０は、制御回路９５０と、スイッチ９６３と、二次電池９７０と、を電気的に接続する。
【００９８】
秒針９２１、分針９２２および時針９２３は、輪列９４１を介して駆動回路９４２と物理的に接続されている。駆動回路９４２は、制御回路９５０から出力されるパルス信号に応じて、輪列９４１を介して秒針９２１、分針９２２および時針９２３を一定周期で回転させるモータである。図３に示した駆動回路３２１は、たとえば輪列９４１および駆動回路９４２により実現することができる。
【００９９】
制御回路９５０は、駆動回路９４２に対して一定周期のパルス信号を出力することにより、駆動回路９４２による秒針９２１、分針９２２および時針９２３の駆動を制御する制御回路である。図３に示した制御回路３１０は、たとえば制御回路９５０により実現することができる。なお、制御回路９５０はＩＣによって実現されている。
【０１００】
太陽電池９６１は、風防９１２および文字盤９２４を透過した光を受光して光電変換する。そして、太陽電池９６１は、光電変換により得られた電流を、導線９６２を介してスイッチ９６３へ出力する。また、太陽電池９６１は、光電変換により得られた電流を制御回路９５０へ出力する。太陽電池９６１は、たとえば複数のＰＤによって実現することができる。たとえば、太陽電池９６１は、４分割されたＰＤ群によって構成される４段の太陽電池とすることができる。図３に示した受光装置３３０は、たとえば太陽電池９６１により実現することができる。
【０１０１】
スイッチ９６３は、導線９６２と二次電池９７０との間を接続または切断するオン／オフスイッチである。スイッチ９６３のオン／オフは、制御回路９５０から基板９３０を介して行われる。図３に示したスイッチ３４０は、たとえばスイッチ９６３により実現することができる。
【０１０２】
二次電池９７０は、駆動回路９４２および制御回路９５０に対して電源を供給する。また、二次電池９７０は、スイッチ９６３がオンである場合に、太陽電池９６１から導線９６２、スイッチ９６３および基板９３０を介して出力される電流によって充電を行う。図３に示した二次電池３５０は、たとえば二次電池９７０により実現することができる。
【０１０３】
竜頭９８０は、アナログ時計９００の外部からの操作を受け付けるつまみである。竜頭９８０によって受け付けられた操作は、電気信号として制御回路９５０へ入力される。竜頭９８０に代えて、押下スイッチなどの各種のスイッチを設けてもよい。図３に示した外部操作受付部３６０は、たとえば竜頭９８０により実現することができる。
【０１０４】
このように、実施の形態にかかる電子時計１０１によれば、照射装置１１０から照射された所定の時間長を示す基準光信号１１２ａを含む入射光を電流に変換し、変換した電流に含まれる信号が示す所定の時間長に基づいて自装置の歩度のずれを検出し、検出したずれに基づいて自装置の歩度を調整することができる。これにより、たとえば電子時計１０１の歩度調整を行う場合に、電子時計１０１の歩度調整を効率よく行うことができる。
【０１０５】
たとえば、電子時計１０１は、基準光信号１１２ａを受光可能な領域に位置していれば歩度調整を行うことができる。このため、たとえば、電子時計１０１と照射装置１１０との間の位置決め（配置）の精度が低くても、高い精度で電子時計１０１の歩度調整を行うことができる。このため、たとえば電子時計１０１と照射装置１１０との間の位置決め（配置）の作業を簡易化することが可能になる。
【０１０６】
また、電子時計１０１は、基準信号に対する応答が早い光（基準光信号１１２ａ）を歩度調整に用いることで、所定の時間長を精度よく検出し、電子時計１０１の歩度調整の精度を向上させることができる。あるいは、歩度調整の精度を維持しつつ、一回の歩度調整のための所定の時間長を短くすることが可能になる。あるいは、これらの複合的な効果が得られる。
【０１０７】
また、照射装置１１０が、電子時計１０１〜１０３（複数の電子時計）を含む領域に基準光信号１１２ａを照射し、電子時計１０１〜１０３のそれぞれが、基準光信号１１２ａに基づいて自装置の歩度の調整を並行して行うことができる。これにより、電子時計１０１〜１０３の歩度調整を効率よく行うことができる。
【０１０８】
たとえば、一定の期間内により多くの電子時計の歩度調整が可能になる。あるいは、一定数の電子時計の歩度調整に要する時間を短縮することができる。あるいは、一回の歩度調整のための所定の時間長を長くすることが可能になり、歩度調整の精度を向上させることができる。あるいは、これらの複合的な効果が得られる。
【０１０９】
また、照射装置１１０が、電子時計１０１〜１０３に対して基準光信号１１２ａをまとめて照射するため、照射装置１１０において歩度調整の対象を切り替える制御を行わなくてもよい。このため、歩度調整のための制御を簡易化することができる。
【０１１０】
また、実施の形態にかかる電子時計３００は、入射光から変換した電流によって充電を行い、自装置を駆動する電力を供給する二次電池３５０を備える。すなわち、電子時計３００は、自装置を駆動する電力を供給する二次電池３５０の充電を行うための受光装置３３０を利用して自装置の歩度調整を行うことができる。これにより、歩度調整の際に外部と通信を行うための通信モジュールを電子時計３００に追加しなくても、電子時計３００の歩度調整を行うことができる。
【０１１１】
ただし、実施の形態にかかる電子時計３００は、歩度調整の際にのみ使用される受光装置であって、二次電池３５０を充電するための受光装置３３０とは異なるＰＤ等の受光装置を備える構成としてもよい。この場合は、電子時計３００は、受光装置３３０とは異なる受光装置の光電変換により得られた電流に含まれる信号が示す所定の時間長に基づいて自装置の歩度のずれを検出し、検出したずれに基づいて歩度調整を行う。この場合においても、上述したように電子時計３００の歩度調整を効率よく行うことができる。一例としては、図９に示した太陽電池９６１の一部が、二次電池９７０への充電を行う他の部分から切り離された構成であってもよい。この場合は、この太陽電池９６１の一部によって歩度調整の際に受光を行うようにしてもよい。
【０１１２】
また、実施の形態にかかる電子時計３００は、歩度制御回路３１３（検出部）がずれを検出する歩度調整モード（第１状態）においては受光装置３３０（変換部）と二次電池３５０との間を切断し、歩度制御回路３１３がずれを検出しない運用モード（第２状態）においては受光装置３３０と二次電池３５０との間を接続するスイッチ３４０を備える。これにより、歩度調整モードにおいては受光装置３３０および歩度制御回路３１３から二次電池３５０を切り離し、受光装置３３０と歩度制御回路３１３との間の信号線をハイインピーダンスの状態にすることができる。このため、受光装置３３０からの受光信号２１０を歩度制御回路３１３が精度よく検出することができる。このため、電子時計３００の歩度調整をより精度よく行うことができる。
【０１１３】
歩度調整モードにおいてスイッチ３４０を用いて受光装置３３０と二次電池３５０との間を切断する構成について説明したが、このような構成に限らない。たとえば、受光装置３３０と二次電池３５０との間を接続したままでも受光信号２１０の十分な電圧や応答速度が得られる場合は、歩度調整モードにおいて受光装置３３０と二次電池３５０との間を切断しない構成としてもよい。この場合は、スイッチ３４０を省き、受光装置３３０と二次電池３５０とを直接接続する構成としてもよい。
【０１１４】
また、実施の形態にかかる電子時計３００は、上述した二次電池３５０を備える構成において、歩度制御回路３１３が歩度のずれを検出しない運用モードにおいて、受光装置３３０によって変換された電流に含まれる所定信号を検出した場合に歩度のずれを検出する歩度調整モードへ移行し、歩度調整回路３１４は、歩度調整モードにおいて歩度制御回路３１３によって歩度のずれが検出された場合に、歩度制御回路３１３によって検出された歩度のずれに基づいて歩度を調整する。これにより、歩度調整を指示するための外部操作受付部３６０を設けなくても、歩度調整に用いる受光装置３３０を利用して、電子時計３００に対して所定の光信号を照射することによって電子時計３００に歩度調整を実行させることができる。
【０１１５】
以上説明したように、電子時計および歩度調整システムによれば、歩度調整を効率よく行うことができる。
【０１１６】
たとえば、送受信用コイルを介した磁界信号を用いて歩度調整を行う技術においては、電気誘導により通信を行うため、送受信用コイルと電子時計との間の相対位置（距離や角度も含む）がずれると通信困難になる。また、送受信用コイルのインダクタンスの時定数により応答速度に限界があり、高精度な歩度調整が困難である。また、複数の電子時計を同時に歩度調整するためには、複数の電子時計のそれぞれに対して送受信用コイルを設けることになるため、歩度調整のためのコストが大きくなる。
【０１１７】
これに対して、上述した歩度調整システム１００においては、原子時計１２０などを用いて照射装置１１０が正確な間隔で点滅し、この点滅をトリガとすることにより、電子時計１０１〜１０３は受光装置（ソーラセル）の起電力発生間（パルス２１１〜２１２までの期間）の水晶振動子の発振周波数をカウントし、理想の周波数からのずれを時計内部で計測し、計測したずれに基づいて歩度を調整（補正）することができる。
【０１１８】
このように、送受信用コイルによる磁界ではなく光を用いることで、電子時計１０１〜１０３の位置決めの精度が低くても、電子時計１０１〜１０３のそれぞれが精度よく所定の時間長を検出して歩度調整を行うことができる。また、電子時計１０１〜１０３のそれぞれにおける照射装置１１０との間の距離や基準光信号１１２ａの照射角度が異なっていても、電子時計１０１〜１０３のそれぞれが精度よく所定の時間長を検出して歩度調整を行うことができる。
【０１１９】
また、応答の早い基準光信号１１２ａによって所定の時間長を検出することができるため、歩度調整を精度よく行うことができる。特に、高い周波数を有する振動子、たとえばＡＴカット振動子を用いる電子時計においては、より高精度の歩度調整が可能になる。また、歩度調整の対象の電子時計１０１〜１０３より少ない数の照射装置（たとえば１個の照射装置１１０）によって歩度調整を行うことができるため、複数の電子時計を同時に歩度調整する場合であっても歩度調整のためのコストを低くすることができる。
【産業上の利用可能性】
【０１２０】
以上のように、本発明にかかる電子時計および歩度調整システムは、振動子によって発振される基準クロックを用いて時間を計る電子時計および歩度調整システムに有用である。
【符号の説明】
【０１２１】
１００  歩度調整システム
１０１〜１０３，３００  電子時計
１１０  照射装置
１１１  基準信号発生回路
１１２  発光装置
１１２ａ  基準光信号
１２０  原子時計
２０１  時間長
２１０  受光信号
２１１，２１２  パルス
２２０  カウントイネーブル信号
２３０  発振クロック
３１０，９５０  制御回路
３１１  発振回路
３１２  分周回路
３１３  歩度制御回路
３１４  歩度調整回路
３２１，９４２  駆動回路
３２２  時間通知部
３３０  受光装置
３４０，９６３  スイッチ
３５０，９７０  二次電池
３６０  外部操作受付部
７００  カウンタ回路
７０１〜７１２  フリップフロップ
９００  アナログ時計
９１１  ケース
９１２  風防
９１３  裏蓋
９１４  見返しリング
９２１  秒針
９２２  分針
９２３  時針
９２４  文字盤
９３０  基板
９４１  輪列
９６１  太陽電池
９６２  導線
９８０  竜頭
【図１】
2017150855.tif 000003
【図２】
2017150855.tif 000004
【図３】
2017150855.tif 000005
【図４】
2017150855.tif 000006
【図５】
2017150855.tif 000007
【図６】
2017150855.tif 000008
【図７】
2017150855.tif 000009
【図８】
2017150855.tif 000010
【図９】
2017150855.tif 000011